(57)【要約】【課題】各人の体型に拘わらず快適な寝姿を実現できる安眠まくらを提供する。【解決手段】各粒子の平均直径が０．１〜１．４ｍｍの発泡粒子を、ツーウェイトリコット生地で包んでなる内袋２，３と、この内袋２，３を収納する外袋１とを備えてなり、外袋１は、その裏面の一部とその表面の一部とが接続されることによって、各内袋２，３の収納されるべき場所が、使用者の身長方向に区分されている。【選択図】          図２
2004344586.tif 000002
【特許請求の範囲】
【請求項１】
各粒子の平均直径が０．１〜１．４ｍｍの発泡粒子を、伸縮性に富む生地で包んでなる内袋と、この内袋を複数個収納する外袋とを備えてなり、
前記外袋は、その裏面の一部とその表面の一部とが接続されることによって、前記各内袋の収納されるべき場所が、使用者の身長方向に区分されていることを特徴とする安眠まくら。
【請求項２】
使用者に対面する前記外袋の上部は、伸縮性に乏しい部材によって、前記伸縮性に富む部材が、使用者の身長方向に仕切られて構成されている請求項１に記載の安眠まくら。
【請求項３】
前記伸縮性に富む部材は、使用者の身長方向の長さが異なる二つの部分からなる請求項２に記載の安眠まくら。
【請求項４】
前記外袋は、伸縮性に乏しい部材で形成された基材部と、伸縮性に富む部材とで構成され、前記基材部は、底面と、底面から立ち上がる側面とを含んでいる請求１〜３の何れかに記載の安眠まくら。
【請求項５】
前記内袋は、略円筒形状に構成され、その軸方向が、使用者の身長方向に直交して配置されている請求項１〜４の何れかに記載の安眠まくら。
【請求項６】
各粒子の平均直径が０．１〜１．４ｍｍの発泡粒子を、伸縮性に富む生地で包んでなる内袋と、この内袋を単一個収納する外袋とを備えてなり、
前記内袋には、前記発泡粒子が使用者の身長方向に移動するのを阻害する境界部が形成されていることを特徴とする安眠まくら。
【発明の詳細な説明】
【０００１】
【発明の属する技術分野】
本発明は、理想的な寝姿を実現できる安眠まくらに関し、特に、予備発泡粒子を伸縮性に富む生地で内包してなる安眠まくらに関する。
【０００２】
【従来の技術】
人間が健康状態を維持するためには、所定時間以上の睡眠をとることが必須であり、この睡眠によって体力を回復することができ、正常に活動を再開することが可能となる。かかる意味において人間にとって睡眠は極めて重要であり、その睡眠を快適に実現する上で、まくらの選択は極めて重要な意味を持っている。
【０００３】
【発明が解決しようとする課題】
一般に、寝ている状態でも、直立している状態と同様の、頭と首と背筋の姿勢を維持することが大切であると言われている。しかしながら、この理想的な寝姿を実現することは容易でなく、そのため自分の体型に合ったまくらを見つけるために、何度もまくらを購入し直さなければならない人も少なくないのが実情である。
【０００４】
本発明は、上記の問題点に着目してなされたものであって、各人の体型に拘わらず快適な寝姿を実現できる安眠まくらを提供することを課題とする。
【０００５】
【課題を解決するための手段】
上記課題を解決するために、請求項１に係る安眠まくらは、各粒子の平均直径が０．１〜１．４ｍｍの発泡粒子を、伸縮性に富む生地で包んでなる内袋と、この内袋を複数個収納する外袋とを備えてなり、前記外袋は、その裏生地の一部とその表生地の一部とが接続されることによって、前記各内袋の収納されるべき場所が、使用者の身長方向に区分されている。
【０００６】
本発明の発泡粒子は、各粒子の平均直径が０．１〜１．４ｍｍであるが、好適には、その粒子径（各発泡粒子の平均直径）が１．０ｍｍ以下のもの、より好適には０．４〜０．９ｍｍ程度のものが使用される。また、本発明の発泡粒子は、好適には、原料ビーズを予備発泡させたものであり、好ましくは、ビーズ法ポリスチレンフォームの予備発泡工程で生成される予備発泡体が使用される。
【０００７】
この場合、原料ビーズ１００重量部に対して０．５〜１．５重量部の流動促進剤によって表面被覆されているのが好ましい。ここで、前記流動促進剤は脂肪酸と金属の塩であり、前記脂肪酸は、ステアリン酸、エチレンビスステアリン酸、ラウリン酸、パルミチン酸から選択される何れか一種以上であり、前記金属は、マグネシウム、カルシウム、亜鉛、バリウム、アルミニウムから選択される何れか一種以上であるのが好ましい。
【０００８】
また、本発明に係る伸縮性に富む生地は、好適には、ツーウェイトリコット生地が使用される。ここでツーウェイトリコット生地とは、ナイロンやポリエステルの経編み（トリコット）組織に、ポリウレタンを挿入したものをいう。好適にはポリウレタン１０〜２５重量％のものが選択される。
【０００９】
また、ツーウェイトリコット生地は、好ましくは、１Ｋｇ重の張力に対して、経方向の伸度が２５０〜３００％、緯方向の伸度が１００〜１４０％のもの、及び／又は、３Ｋｇ重の張力に対して、経方向の伸度が３４０〜３８０％、緯方向の伸度が１４０〜１８０％のものが選択される。ここで、試験片は、１６ｃｍ×２．５ｃｍ又は２．５ｃｍ×１６ｃｍに切出された二種類の生地であり、経方向の伸度試験では経方向を１６ｃｍとした試験片を使用し、緯方向の伸度試験では緯方向を１６ｃｍとした試験片を使用している。
【００１０】
本発明の外袋は、その裏生地の一部とその表生地の一部とが接続される必要があるが、裏生地と表生地とが縫合などによって直接的に接続されても良いし、他の部材（生地）を用いて間接的に接続されても良い。但し、好適には、伸縮性に乏しい接続片よって間接的に接続されるのが好適である。
【００１１】
本発明では、使用者に対面する前記外袋の上部は、伸縮性に乏しい部材によって、前記伸縮性に富む部材が、使用者の身長方向に仕切られて構成されているのが好ましく、この場合、前記伸縮性に富む部材は、使用者の身長方向の長さが異なる二つの部分からなるのが好ましい。
【００１２】
また、前記外袋は、伸縮性に乏しい部材で形成された基材部と、伸縮性に富む部材とで構成され、前記基材部は、底面と、底面から立ち上がる側面とを含んでいるのが好適であり、前記内袋は、略円筒形状に構成され、その軸方向が、使用者の身長方向に直交して配置されているのが好適である。
【００１３】
一方、請求項６に係る発明は、各粒子の平均直径が０．１〜１．４ｍｍの発泡粒子を、伸縮性に富む生地で包んでなる内袋と、この内袋を単一個収納する外袋とを備えてなり、前記内袋には、前記発泡粒子が使用者の身長方向に移動するのを阻害する境界部が形成されている。
【００１４】
ここで境界部は、内袋の裏生地と表生地とが接続されて形成されるのが典型的である。但し、発泡粒子が使用者の身長方向に移動するのを阻害できれば、特にその構成を問わない。
【００１５】
また、内袋が単一個であるとは、例えば、図９（ａ）や図９（ａ’）に示すように、もともと１個の内袋として形成されたものに限定されず、例えば、図８に示すように、もともと別々のものであった内袋を、縫合などによって一体化させたものも含んでいる。
【００１６】
本発明においても、発泡粒子や、伸縮性の富む生地の意義は、請求項１に係る発明の場合と同様である。但し、この請求項６の発明では、請求項１の発明とは異なり、外袋の中には１個の内袋が収納されており、内袋には境界部が形成されている。
【００１７】
もともと１個であった内袋に境界部を形成する方法としては、内袋の表生地と裏生地を直接的に接続して形成しても良いし、間接的に接続して形成しても良い。但し、裏生地と表生地とを直接縫合して形成するのが好適である。ここで境界部の形状は、略矩形状又は略円形であるのが好適である。なお、境界部は、必ずしも単一でなくても良い。
【００１８】
略矩形状の境界部を採用する場合には、この境界部は使用者の身長方向に直交して形成され、その結果、単一の内袋が使用者の身長方向に区分されるのが好適である。この場合、境界部によって内袋が完全に閉じて区分されても良いし、図９（ａ’）の実施例のように、境界部の長さ方向の両端が開口するように区分されても良い。何れにしても、伸縮性に富む部材は、境界部によって、使用者の身長方向の長さが異なる二つの部分に区分されるのが好適である。
【００１９】
一方、略円形の境界部を採用するまくらは、幼児用のものとするのが好適である。また、このような境界部は、まくらのほぼ中央に一個設けるのが好適である。なお、境界部は、使用者の身長方向にみた場合には、真の中央からやや一方にずれた位置に設けるのが好適である。
【００２０】
【発明の実施の形態】
以下、本発明を実施例に基づいて本発明の実施の形態を詳細に説明する。図１（ａ）は、実施例に係る安眠まくらＰＬの全体像を示す斜視図であり、図２は、安眠まくらＰＬの内部構造を説明する斜視図である。
【００２１】
図２に示す通り、この安眠まくらＰＬは、略直方体状の外袋１の中に、大小二つの円筒状の内袋２，３を収納して構成されている。そして、外袋１は、伸縮性の乏しいテント生地４〜７と、伸縮性に富む伸縮性生地８とを縫合して構成されている。具体的には、外袋１の底面４と、四つの側面５と、頂面に配置された横断帯６と、横断帯６と底面４とを接続する連結片７とがテント生地で構成され、横断帯６で区分される二つの頂面８Ａ，８Ｂは、伸縮性に富む生地で構成されている。
【００２２】
側面５は、外袋１の長辺に沿って設けられる前後側面５Ａ，５Ａと、外袋１の短辺に沿って設けられる左右側面５Ｂ，５Ｂとに区分される。ここで、前後側面５Ａ，５Ａは、略正長方形に形成されているが、左右側面５Ｂ，５Ｂは、図１（ｂ）に示すように長辺を波形に湾曲させた波型長方形に形成されている。
【００２３】
この安眠まくらＰＬは、高さの異なる複数種類が用意されているが、使用者の身長方向と直交する前後側面５Ａは、例えば、長辺６０ｃｍ×短辺３ｃｍ程度の略正長方形となっている。また、左右側面５Ｂは、例えば、長辺４０ｃｍ程度であって、短辺の最大高さＨ１，Ｈ２が、それぞれ７ｃｍと５．５ｃｍ程度に形成された波型長方形となっている。そして、後側面５Ａから右側面５Ｂにわたってファスナー９が設けられ、これが閉塞されることで安眠まくらＰＬが完成するようになっている。
【００２４】
横断帯６と底面４とを接続する連結片７は、その有効高さが前後側面５Ａの高さとほぼ同一であるが、前後側面よりやや高く設定されている。そのため、安眠まくらＰＬの完成状態では、横断帯６は、連結片７に拘束されて中央部が窪むことになり、その結果、全体がやや波打つことになる（図１）。
【００２５】
伸縮性生地８Ａ，８Ｂは、使用者の身長方向の幅が相違する二枚の生地で構成されており、第一生地８Ａが、例えば、２３．５ｃｍ×６０ｃｍ程度に構成されている場合には、第二生地８Ｂは、例えば、１２ｃｍ×６０ｃｍ程度の大きさで構成される。
【００２６】
本実施例の場合、伸縮性生地８Ａ，８Ｂは、ツーウェイトリコット生地で構成されている。ここで、ツーウェイトリコット生地とは、ナイロンやポリエステルの経編み（トリコット）組織に、ポリウレタンを挿入したものをいい、この実施例では、ナイロン７５〜８５重量％程度、ポリウレタン１５〜２５重量％程度のものが使用されている。
【００２７】
このように、本実施例の伸縮性生地は、ツーウェイトリコット生地を採用しているので、縦横に延びる十分な伸縮性を実現しているが、その厚みは、０．３ｍｍ〜１．５ｍｍ程度のものが選択され、好ましくは、１ｍｍ未満、より好ましくは０．５ｍｍ〜０．６ｍｍのものが選択される。
【００２８】
また、伸度は特定のものを選択するのが好適であり、具体的には、１６ｃｍ×２．５ｃｍに切出された２種類の試験片について、一辺を保持して他辺を所定の張力で引っ張った場合には、以下に示す程度の伸度のものが好適に選択される。
【００２９】
すなわち、張力１Ｋｇ重の場合、経方向２６０〜２９５％、緯方向１０５〜１３５％程度、張力１．５Ｋｇ重の場合、経方向２９０〜３２０％、緯方向１２０〜１５０％程度、張力２．２５Ｋｇ重の場合、経方向３２０〜３５０％、緯方向１３５〜１６５％程度、張力３Ｋｇ重の場合、経方向３４０〜３７０％、緯方向１５０〜１８０％程度のものが好適に選択される。ここで、経方向の伸度は、経方向が１６ｃｍである試験片を使用し、一方、緯方向の伸度は、緯方向が１６ｃｍである試験片を使用している。
【００３０】
上記のように構成される内袋２，３の中に、微細な予備発泡粒子が、ほぼ一杯に収容されて構成されている。ここで、予備発泡粒子は、自然状態（非膨張状態）の袋体の容積とほぼ同一容積のものが収容されている。そのため、ツーウェイトリコット生地の優れた伸縮性とあいまって、各内袋２，３が優れた弾力性を実現する。
【００３１】
図２に示す通り、２つの内袋２，３は太さの異なる円筒形であり、相対的に細い内袋２は、第一生地８Ａに対応する大きさに形成され、一方、相対的に太い円筒形状の内袋３は、第二生地８Ｂに対応する大きさに形成されている。そして、これら二つの内袋２，３は、図２の矢印で示すように、連結片８で仕切られた大小二つの収納空間に挿入され、やや収縮させた状態で保持される。
【００３２】
二つの内袋２，３は、その中に予備発泡粒子を収容させた後、開口部２ａ，３ａを内外二重に連続する二重ファスナーによって閉塞させている。ここで、内側ファスナーと外側ファスナーは、その閉塞方向が互いに逆方向になっており、また、外側ファスナーは、外部からは見えないよう袋体の生地で覆われている。そのため、ファスナーの存在に気付かないのが通例であり、仮に、外側ファスナーの存在に気付いても、内側ファスナーの存在までは気付かないことが多いので、子供の悪戯によって内容物を漏出することが防止される。
【００３３】
各内袋２，３に収容される予備発泡粒子は、ビーズ法ポリスチレンフォームの予備発泡工程で生成される発泡体であり、この実施例では、特に、その粒子径（各発泡粒子の平均直径）が０．１〜１．４ｍｍ、より好ましくは０．４〜０．９ｍｍ程度のものが使用される。
【００３４】
発泡スチロールとも呼ばれるビーズ法ポリスチレンフォームは、一般に、（ａ）直径０．３〜２ｍｍ程度の原料ビーズを加熱して１０〜９０倍程度に発泡させる予備発泡工程と、（ｂ）熟成サイロに６時間以上放置して、気泡内に空気を浸入させて安定な状態に移行させる乾燥熟成工程と、（ｃ）熟成後の予備発泡ビーズを成形機の金型に充填して１１５℃〜１２５℃のスチームによって再膨張と融着をさせる発泡成形工程によって製造されるが、本実施例では、最終の発泡成形工程に供される手前の予備発泡粒子が使用される。
【００３５】
原料ビーズは、ポリスチレン樹脂、ポリエチレン樹脂、ポリプロピレン樹脂などが使用できるが、好適には、炭化水素系の発泡剤などを含有させたポリスチレン樹脂が採用される。なかでも、残留スチレンモノマーの量が５００ｐｐｍに抑制されたものが好適であり、この場合には、シックハウス（室内空気汚染）の心配のないマットを提供できる。
【００３６】
また、この原料ビーズは、原料ビーズ１００重量部に対して、０．５〜１．５重量部の流動促進剤によって表面被覆されている。流動促進剤は、発泡粒子が流動する際の潤滑剤として機能するものであり、発泡粒子同士の摩擦によって生じる異音を抑制する作用を有している。
【００３７】
流動促進剤としては、脂肪酸と金属の塩、脂肪酸アミン、ソルビタン脂肪酸エステル、水酸化アルミニウム、タルク、炭酸カルシウム、ポリエチレンワックスなどが好適に使用される。ここで脂肪酸としては、ステアリン酸、エチレンビスステアリン酸、ラウリン酸、パルミチン酸を例示することができる。また、金属としては、マグネシウム、カルシウム、亜鉛、バリウム、アルミニウムを例示することができる。
【００３８】
このうち、特に好適な流動促進剤は、ステアリン酸亜鉛、ステアリン酸カルシウム、ステアリン酸マグネシウムである。これらの含有量は、原料ビーズ１００重量部に対して、０．５〜１．５重量部であるが、より好ましくは、０．６〜１．２重量部の含有量とすべきである。流動促進剤の含有量が０．５重量部未満では、異音の抑制効果が不足し、一方、１．５重量部を超えても更なる効果が期待できない。
【００３９】
発泡剤としては、ブタン及びペンタンが好適に使用され、また、発泡助剤としてシクロヘキサンが好適に使用される。これらの含有量は、特に限定されないが、好適には、ポリスチレンが９０〜９７重量％、ブタン及びペンタンが３．０〜８．０重量％、シクロヘキサンが０〜２．０重量％である。
【００４０】
このような組成の原料ビーズが、蒸気などを利用して８０〜１００℃程度に加熱されると、発泡剤の膨張によって原料ビーズが発泡する。この実施例では、発泡倍率が１０〜８０倍程度に設定されており、発泡粒子は略球体形状であって、その粒子径が好ましくは０．４〜０．９ｍｍ程度に管理されている。
【００４１】
本実施例の場合、発泡剤の膨張によって発泡した発泡粒子は、所定圧の熱風によって舞い上げられて熟成サイロに導入されるようになっている。このように、発泡粒子は熱風によって１１ｍ程度上昇させた後に熟成サイロに導入されるので、導入までの過程で、発泡粒子の表面の水分を乾燥させることができ、また、発泡粒子内部の発泡剤と空気との置換を促進することができる。しかも、粒子径の選別もある程度可能であり、粒子径の揃った発泡粒子を集めることが可能となる。
【００４２】
続いて、実施例に係る安眠まくらＰＬの使用状態について説明する。図４に示すように、この安眠まくらＰＬは、使用時には、外袋１の第二生地８Ｂに使用者の頭部を載せる。すると、内袋３の中央に重さが加わり、内部の予備発泡粒子の移動によって内袋３が左右に伸びようとする。同様に、内部の予備発泡粒子は、頭部から首に沿って下方に向かって移動しようとする。
【００４３】
しかし、外袋１の四側面は、いずれも伸縮性のないテント生地で構成されているので、内袋３は、左右に移動した予備発泡粒子によって上方に膨張する。また、下方に移動した予備発泡粒子によって首の後ろがやや膨張することになる。このように、この安眠まくらＰＬでは、内部の予備発泡粒子が頭部全体を包むように移動することになり、人間の立ち姿と同様の、Ｓ字状の頭部を形成する寝姿を実現することができる（図５（ａ）参照）。また、外袋１の四側面は、テント生地によって拘束されているので、寝返りを打った場合にも、それに反応して予備発泡粒子が流動して快適な寝姿を維持することができる。なお、図５（ｂ）は、従来の綿まくらの使用状態を図示したものであり、まくらの高さや硬さが使用者に適合していないために、肩凝りや頭痛の原因となる寝姿を示している。
【００４４】
なお、この安眠まくらＰＬは、頭部に直接接触するように使用しても良いし、まくらカバーを介在させて使用しても良い。まくらカバーとしては、パイル素材が好適に使用されるが、パイル素材とは、別珍、コーデュロイ、ベルベットのような生地の表面に密集している毛羽や、タオル地の表面にある細かなループなどを備える素材を意味している。
【００４５】
上記した本発明の安眠まくらの各効果は、株式会社消費科学研究所における検査・試験・評価結果報告書によって確認されている。実験内容を説明すると以下の通りである。
【００４６】
［体圧分散試験］実施例に係る安眠まくらＰＬと、従来商品のまくらを試験品として使用して、各試験品の上に体圧センサを敷き、その上に頭部を載せて圧力を測定した。なお、従来商品としては、人の体温と体圧により変化して体をベストバランスでサポートすると謳われているテンピュールまくら（登録商標）を使用した。
【００４７】
実験環境としては、環境温度１８±２℃、５５±５％ＲＨにおいて、各試験品にまくらカバーを装着した場合と装着しない場合について圧力を測定した。なお、被験者は、２０歳代の女性一人であり、同一人による対比試験を行った。試験結果は、図６及び図７であり、図６（ａ）（ｂ）は、まくらカバーを装着しない場合と装着した場合の実施例であり、図７（ａ）（ｂ）は、まくらカバーを装着しない場合と装着した場合の比較例である。
【００４８】
各図とも圧力センサの計測値を三次元的に描画しているが、図６と図７の比較から明らかなように、実施例では、比較例に見られるような、鋭い圧力ピークが存在しないことが確認される。つまり、実施例の場合にはスムーズな体圧分散が実現されていることが確認される。
【００４９】
以上、本発明の第１実施例について具体的に説明したが、具体的な記載内容は特に本発明を限定するものではない。例えば、第１実施例では、２つの独立した内袋２，３を使用したが、図８に示すように、大小２つの内袋２，３を一体化させても良い。一体化させる方法は適宜であり、１つの袋体の中央にミシン目を入れて、２つの内袋２，３に区分しても良いし、独立した２つの内袋２，３を縫い合わせて一体化しても良い。なお、いずれの場合にも、予備発泡粒子は、一体化された内袋に対して個々的に収容するのが好適である。
【００５０】
２つの内袋を一体化させた場合には、もともと境界部が存在するので、図８の外袋１には、図２に示すような連結片７を設ける必要がない。また、図８の第２実施例では、外袋１の頂面には横断帯６が設けられておらず、全面がツーウェイトリコット生地で構成されている。このような構成でも、外袋１の中には大小２つの内袋２，３が一体化されて収容されているので、大なる内袋３が使用者の頚椎の部分に当接して快適な姿勢を維持できる。
【００５１】
図９（ａ）は、第３実施例に係る安眠まくらについて、内袋２の平面状態を図示したものである。この内袋２の中には予備発泡粒子が収容されており、Ｃ−Ｃ断面は図９（ｃ）のような形状になっている。
【００５２】
図示の通り、内袋２には、その表生地と裏生地が縫合されて円形状の境界部１５が形成されている。より詳細には、境界部１５は、まくらの幅方向（左右方向）中央であって、使用者の身長方向の中央より、やや一方側にずれて形成されている。
【００５３】
この境界部１５は円形状に形成されているので、内部の発泡粒子が使用者の身長方向に移動するのを阻害する作用が十分ではないが、頭の軽い幼児などが使用する安眠まくらとしては実用性がある。なお、移動阻害作用をより高めるには、別の内袋２０を、本来の内袋２の中に挿入しても良い（図９（ｂ）参照）。
【００５４】
図９（ａ’）は、第４実施例に係る安眠まくらについて、内袋２の平面状態を図示したものである。この内袋２にも予備発泡粒子が収容されており、Ｃ−Ｃ断面は図９（ｃ）のような形状になっている。
【００５５】
この第４実施例の場合には、内袋２の表生地と裏生地が縫合されて矩形状の境界部１６が形成されている。このような矩形状の境界部１６とした場合には、内部の発泡粒子が使用者の身長方向に移動するのを確実に阻害できるので、成人用の安眠まくらとしても実用性がある。なお、境界部１６は、使用者の身長方向に直交して形成されており、内袋２は、境界部１６によって、使用者の身長方向の長さが異なる二つの部分２Ａ，２Ｂに区分されている。
【００５６】
【発明の効果】
以上説明したように、本発明によれば、各人の体型に拘わらず快適な寝姿を実現できる安眠まくらを提供することができる。
【図面の簡単な説明】
【図１】第１実施例に係る安眠まくらを示す斜視図である。
【図２】図１の安眠まくらの組立て方法を説明する図面である。
【図３】図１のＡ−Ａ断面図である。
【図４】図１の安眠まくらの使用状態を示す斜視図である。
【図５】実施例の安眠まくらの効果を説明する図面である。
【図６】実施例の安眠まくらの体圧分散効果を示す図面である。
【図７】比較例のまくらの体圧分散効果を示す図面である。
【図８】第２実施例の安眠まくらを示す斜視図である。
【図９】第３実施例及び第４実施例の安眠まくらを説明する図面である。
【符号の説明】
２，３    内袋
１        外袋
【図１】
2004344586.tif 000003
【図２】
2004344586.tif 000004
【図３】
2004344586.tif 000005
【図４】
2004344586.tif 000006
【図５】
2004344586.tif 000007
【図６】
2004344586.tif 000008
【図７】
2004344586.tif 000009
【図８】
2004344586.tif 000010
【図９】
2004344586.tif 000011